(57)【要約】      （修正有）【課題】従来身近にある自転車をリハビリ用の機器に使用できるようにした補助具を提供する。【解決手段】補填部材を使用してペダル収納部材にペダルを緊密に収納し、かつこのペダルを着脱自在の固定板で固定させる固定部材を、押下圧力に耐える部材を付けて、リハビリ活動をする人が履く足納具に固着させるとともに、この固定部材に設けたバランス保持部材によって足納具を水平に保たれるようにしたリハビリ用自転車補助具を提案するもので、一般家庭にある自転車や、ペダルを装備した自転車に準ずる機器の利用を簡単にリハビリ機器として利用できるようにした。【選択図】図２
0003160377.tif 000002
【実用新案登録請求の範囲】
【請求項１】
リハビリ運動をする人が履く足納具の下側に、足納具取付部材を付加して自転車のペダルを結合する固定部材を固着するもので、この固定部材を、足納具下面に当接させる足納具受け部材と、この足納具受け部材の下面に固着し、前記ペダルを収納部に補填部材で緊密に収納するとともに、この収納部の開口を固定板により覆ってこのペダルを固定するペダル収納部材と、ペダル収納部材に固着して足納具をペダルに取り付けたときにこの足納具を水平に保持させるバランス保持部材とから構成し、かつ前記固定板を取り付け、取り外し可能としたリハビリ用自転車補助具
【請求項２】
バランス保持部材は、ペダル収納部材の下面中央に固着したバランス保持中央部材と、ペダル収納部材の前後に固着したバランス保持前後部材とから構成したことを特徴とする請求項１のリハビリ用自転車補助具
【請求項３】
ペダル収納部材の前後位置で、足納具とバランス保持前後部材の間に足納具の押下圧力に耐える足納具取付部材を介在させて設けたことを特徴とする請求項１または請求項２のリハビリ用自転車補助具
【請求項４】
リハビリ運動をする人が履く足納具の下側に、補填部材を使用して自転車のペダルを収納部に緊密に収納し、この収納部の開口を固定板により覆ってこのペダルを固定するペダル収納部材を有する固定部材を設けたもので、この固定部材を、足納具下面に当接させる足納具受け部材と、前記ペダルの収納をする収納部の前後方向に、足納具受け部材の下面に固着する支持部を延伸させて形成したペダル収納部材と、この支持部の下面に付加して固着した補強板と、ペダル収納部材の下面中央に固着したバランス保持中央部材とから構成し、かつ前記固定板を取り付け、取り外し可能としたリハビリ用自転車補助具
【請求項５】
ペダルを収納するペダル収納部材の収納部の開口の縁に額縁状部材を固着し、この額縁状部材に、前記収納部の開口を覆うことでペダルを固定するとともに、その脱落を防止する固定板を着脱可能にして固着したことを特徴とする請求項１、請求項２、請求項３または請求項４のリハビリ用自転車補助具
【考案の詳細な説明】
【技術分野】
【０００１】
本考案は、自転車を利用してリハビリ運動を行う場合に最適の自転車の補助具に関するものである。
【背景技術】
【０００２】
近年高齢化の波とともに弱った体のリハビリのための施術、機器、道具などが注目されてきており、特に高齢者の足腰の弱みや、脳疾患を原因とする不自由な手、足などを元通りに復帰させるためのリハビリ対策の強化が叫ばれている。これらのうちでは特に加齢による足腰の筋肉の衰えや脳障害に起因する麻痺によって、脚部の機能が不自由な人が増加していることもあり、そのための対策が望まれているところである。
【０００３】
病院や施設または家庭でのリハビリ訓練用としては、例えば歩行訓練用の平行棒や歩行器、ルームランナーなど多種類の機器が知られているが、自転車などのペダルを踏むことで脚部の機能回復を図ろうと考えているものもある。
これらの例として、有酸素運動用のエアロバイクを使用するものもあるが、２個の後輪と１個の前輪を有し、ハンドリム大車輪と手押しハンドルを装備した車椅子機能と舵取り前輪と足踏みペダルを装備した自転車の機能を結合した車椅子自転車（特許文献１参照）や、２個の後輪と１個の前輪を有し、後輪に装着した外輪を使用した手押し機能と着地した足による歩行機能および足踏みペダルを使用した自転車の機能を併せ持った障害者用自転車（特許文献２参照）などがある。
【先行技術文献】
【特許文献】
【０００４】
【特許文献１】特開平１０−３５５６８号公報
【特許文献２】特開平９−２２６６５６号公報
【考案の概要】
【考案が解決しようとする課題】
【０００５】
これらの自転車機器はリハビリ専用のものであって、たとえば家庭内のような身近にある自転車を利用してこれをリハビリ機器として利用できるようにする補助具のようなものは、考案されていないのが現状である。しかし、高価なリハビリ専用の機器を求められない人たちには、一般的な自転車や他のペダルを装着した自転車に準ずる機器（例えばエアロバイクなど）をリハビリ用の機器に転用できる補助具が必要とされていた。
【０００６】
本考案が解決しようとする課題は、従来身近にある自転車などをリハビリ用の機器に使用できるようにした補助具を提供することにある。
【課題を解決するための手段】
【０００７】
リハビリ用自転車補助具は、リハビリ運動をする人が履く足納具の下側に、足納具取付部材を付加して自転車のペダルを結合する固定部材を固着するもので、この固定部材を、足納具下面に当接する足納具受け部材と、この足納具受け部材の下面に固着し、前記ペダルを収納部に補填部材で緊密に収納するとともに、この収納部の開口を固定板により覆ってこのペダルを固定するペダル収納部材と、ペダル収納部材に固着して足納具をペダルに取り付けたときにこの足納具を水平に保持させるバランス保持部材とから構成し、かつ前記固定板を取り付け、取り外し可能にしたものである。
【０００８】
また上記リハビリ用自転車補助具において、バランス保持部材は、ペダル収納部材の下面中央に固着したバランス保持中央部材と、ペダル収納部材の前後に固着したバランス保持前後部材とから構成させてもよい。
【０００９】
また上記各リハビリ用自転車補助具において、ペダル収納部材の前後位置で、足納具とバランス保持前後部材の間に足納具の押下圧力に耐える足納具取付部材を介在させて設けてもよい。
【００１０】
また、リハビリ用自転車補助具は、リハビリ運動をする人が履く足納具の下側に、補填部材を使用して自転車のペダルを緊密に収納し、この収納部の開口を固定板により覆ってこのペダルを固定するペダル収納部材を有する固定部材を設けたもので、この固定部材を、足納具下面に当接する足納具受け部材と、前記ペダルの収納をする収納部の前後方向に、足納具受け部材の下面に固着する支持部を延伸させて形成したペダル収納部材と、この支持部の下面に付加して固着した補強板と、ペダル収納部材の下面中央に固着したバランス保持中央部材とから構成し、かつ前記固定板を取り付け、取り外し可能にしたものである。
【００１１】
さらに、上記した各リハビリ用自転車補助具において、ペダルを収納するペダル収納部材の収納部の開口の縁に額縁状部材を固着し、この額縁状部材に、前記収納部の開口を覆うことでペダルを固定するとともにその脱落を防止する固定板を着脱可能にして固着させてもよい。
【考案の効果】
【００１２】
本考案リハビリ用自転車補助具は、着脱自在の固定板を固定部材に、取り付けたり外したりすることで、自転車または自転車に準ずる足踏みペダルを有する機器に簡単に取り付けまたは取り外せるものであって、高価な専用のリハビリ機器を購入しなくとも、必要に応じて身近にある自転車などをリハビリ機器として利用できるものである。
【００１３】
またペダルの取付けも、補填部材を使用していることから、固定部材のペダル収納部材に収まるものであればその大きさに関係なく緊密に固定されるため、リハビリの訓練も安心して行うことができる。
【００１４】
またバランス保持部材を設けているため、足を収納する足納具が常時水平に保たれており、使用するときに体の不自由な高齢者や足の運動機能が劣っている人でも、足を足納具に収めることが容易にできる。
【００１５】
また、足を動かすことでペダルに懸かる押下圧力も、この補助具では十分な耐久性を持たせているため、リハビリ運動をする人に不安を与えることなく続けることができる。
【図面の簡単な説明】
【００１６】
【図１】ペダルを連結した本考案リハビリ用自転車補助具の平面図
【図２】自転車の進行方向から見た図１の右側面図
【図３】自転車の進行方向から見た図１の左側面図
【図４】図１の底面図
【図５】足納具の一部を省略した図１のX―X線断面図
【図６】図１の実施形態における固定部材の斜視図
【図７】図６で示した固定部材の各構成部材の斜視図で、（A）は足納具受け部材の斜視図、（B）はバランス保持前後部材、ペダル収納部材、バランス保持中央部材、額縁状部材の取付け状態を示す斜視図
【図８】図１の実施形態における足納具取付部材の斜視図
【図９】図１の実施形態の固定部材（足納具受け部材を図示せず）とこれに取り付ける固定板との組み付けを示す斜視図
【図１０】足納具取付部材の他の実施例の斜視図
【図１１】他の実施例のペダル収納部材を組み込んだ固定部材の斜視図
【図１２】図１１で示した固定部材の各構成部材の斜視図で、（A）は足納具受け部材の斜視図、（B）はペダル収納部材と額縁状部材とを組み付けた斜視図、（C）は補強板の斜視図
【図１３】本考案リハビリ用自転車補助具で実施可能な足納具を示す斜視図で、（A）はセンターゴム型、（B）はマジックバンド型、（C）はスリッパシューズ型、（D）は靴型、（E）は全面開放型の各斜視図
【考案を実施するための形態】
【００１７】
本考案の実施形態（自転車の右側のペダルに取り付けた実施例）を図面に基づいて説明する。
【００１８】
図１は本考案リハビリ用自転車補助具を自転車の左側のペダルに取り付けたときの平面図であり、図２は自転車の進行方向から見た図１の右側面図、図３は自転車の進行方向から見た図１の左側面図、図４は図１の底面図、図５は図１のX−X線の足納具の上側を省略した断面図である。
【００１９】
図１では、リハビリ活動する人が履く足納具１と、その下面に取り付けられた固定部材２の足納具受け部材１０および固定部材２に収納固定されたペダル７（鎖線で示す）に連結したクランク８が示されている。（固定部材２の具体的な構成は図６、図７で示す）
【００２０】
図２は自転車の進行方向から見た（ペダル７を取り付けた側から見た）右側面図であり、足納具１と、その下面に固着した固定部材２の足納具受け部材１０と、この固定部材２に螺子３０で固着した固定板５（この固定板５を固着する固定部材２の額縁状部材１４は、固定板５の背後に位置するため図示せず。図９参照）と、ペダル収納部材１１に収納固定したペダル７（鎖線で図示）に連結したクランク８および、固定板５の両端から少し出ているバランス保持前後部材１３と足納具取付部材３を示している。ペダル収納部材１１に収納されているペダル７の周囲には補填部材４が充填されしっかり固定されている。足納具１の内側底部には固定部材２を固着する際使用する敷板部材９も鎖線で示している。（前記固定板５と固定部材２の額縁状部材１４との取付は図９で示す。足納具取付部材３の構成は図８で示す）
【００２１】
図３は自転車の進行方向から見た（ペダル７取付側とは反対側から見た）左側面図であり、足納具１とその内側底部の敷板部材９（鎖線で図示）、足納具１の下面に固着した固定部材２の足納具受け部材１０、ペダル収納部材１１の盲板１９、このペダル収納部材１１の前後に固着したバランス保持前後部材１３と足納具取付部材３、固定部材２のペダル７収納側に取り付ける額縁状部材１４（固定板５を取り付ける側とは反対の背面側を示す）、およびペダル７周囲に充填された補填部材４と、ペダル７（鎖線で示す）に連結したクランク８を示している。
【００２２】
図４は図１の底面図であり、足納具１の下面に設けた固定部材２の足納具受け部材１０、ペダル収納部材１１、バランス保持中央部材１２のほか、螺子６の先端が覗かれるバランス保持前後部材１３およびペダル収納部材１１に収納され補填部材４を周囲に充填したペダル７（鎖線で図示）に連結するクランク８が示され、クランク８側の位置にはペダル収納部材１１の収納部１７の開口１８に配した額縁状部材１４（図７、図８参照）と、その外側に設けた固定板５（図９参照）が示され、収納部１７の反対側の開口部分を覆う位置には盲板１９（図６、図７参照）を示している。
【００２３】
図５は図１のX−X線の断面図であるが（足納具１のほぼ上半分は省略）、内側底部に薄く軽量な合成樹脂や繊維材、木材などから成る敷板部材９を敷いた足納具１と、この足納具１の下側に固着した固定部材２と足納具取付部材３、およびこの固定部材２のペダル収納部材１１に、クランク８を連結したペダル７を、補填部材４を周囲に充填して固定させた構成を示している。固定部材２は、足納具受け部材１０の下面にペダル収納部材１１を固着し、ペダル７収納用の収納部１７の前後位置にバランス保持前後部材１３およびその下面中央位置にバランス保持中央部材１２を固着する。足納具受け部材１０とバランス保持前後部材１３の間には足納具取付部材３を設ける。そして、固定部材２を足納具１に取り付けるときには、螺子６を使い、敷板部材９、足納具受け部材１０、足納具取付部材３に設けた貫通孔１５を通し、バランス保持前後部材」１３に設けた螺子孔１６にねじ込んでこれらを足納具１に固着している。図中１４は額縁状部材である（図７、図９参照）。
【００２４】
図６は固定部材２の全体斜視図、図７（A）、（B）は固定部材２を構成する各構成部材の具体的構成を示す斜視図である。
【００２５】
図６では、固定部材２は、下面中央にバランス保持中央部材１２を固着したペダル収納部材１１を足納具受け部材１０の下面に固着し、ペダル収納部材１１の前後にバランス保持前後部材１３をを固着するとともに、ペダル収納部材１１のペダル７を収納するための収納部１７の開口１８の周縁に額縁状部材１４を固着したものである。なお、１５は足納具受け部材１０に設けた貫通孔、１６はバランス保持前後部材１３に設けた螺子孔で、ともに螺子６（図示せず）による固着用のものである。２３は額縁状部材１４に設けた螺子孔で、螺子３０（図示せず）により固定板５（図示せず。図９参照）を固着するためのものである。
【００２６】
図７では固定部材２を構成する各部材の具体的構成を示しているが、足納具受け部材１０は（A）で示すように長方形の軽量素材で作成し、四隅に近い位置に、足納具１に敷設した敷板部材９や足納具取付部材３に設けた貫通孔１５（図８参照）とバランス保持前後部材１３に設けた螺子孔１６と連通させて螺子６で固着するための貫通孔１５を設ける。
【００２７】
図７（B）では、ペダル収納部材１１、バランス保持中央部材１２、バランス保持前後部材１３、額縁状部材１４の各取付状態を示している。
ペダル収納部材１１は軽量の板材で作成し、前後に前板部２０、後板部２１を設け、内側の空間部分をペダル７収納用の収納部１７とした断面上向きのコ字型形状をしているが、この収納部１７を上向きにして足納具受け部材１０の裏面に固着する。収納部１７の下面にはその中央に一定の重量を持つバランス保持中央部材１２を固着するとともに、収納部１７のペダル７収納用の収納部１７の開口１８とは反対側の開口を盲板１９で覆う（収納部１７の一方はペダル７を挿入できるように収納部１７の開口１８として開放していて、その反対側を盲板１９により塞ぐものである。盲いた１９は前板部２０、後板部２１と同様に別部材を固着して作成しても、１枚の板材を折り曲げて作成しても良い）。
【００２８】
また前板部２０と後板部２１の外側すなわち収納部１７の反対側には、足納具取付部材３を取り付ける場所を確保した位置に所定重量のバランス保持前後部材１３を固着する。バランス保持前後部材１３には、前記した螺子６を螺子止め固着するための螺子孔１６を設ける（バランス保持中央部材１２およびバランス保持前後部材１３は、バランス保持部材として両方を使用しても、一方のみを使用しても良い）。
バランス保持部材を設けることで、ペダル７に固定部材２を介して足納具１を取り付け固定したときに、重心を下方に移動させ、足納具１が自然反転してしまうことを防止でき、足納具１を常に水平に保つことができる。そのため、バランス保持部材を設けることで、足の運動が不自由になっている老人や脳障害のある人でも、容易に足納具１に足を挿入することができるものである。
【００２９】
１４は凹字状（広幅上向きコ字状）の額縁状部材でその内側の凹字部２２の端縁はペダル収納部材１１の収納部１７のペダル差込口側の開口１８の端縁と同形状をしており、図６でも示したように、上端部を足納具受け部材１０の下面に接しかつ内縁をペダル収納部材１１のペダル差込口側の開口１８の端縁に接してそれぞれに固着する。まｔ、この額縁状部材１４には固定板５を固着するための螺子孔２３を設ける（図９参照）。
【００３０】
図８は足納具取付部材３の斜視図であり、図面では前後２個の足納具取付部材３を示している。この足納具取付部材３は軽量素材の金属製で、上板２５、下板２６を、筒穴を有するスリーブ２４でつないで、上板２５と下板２６のスリーブ２４接合部に筒孔に連通する貫通孔１５を設けた断面横向きコ字状をしており、両端の開口部分は覆板２７で閉塞している。
この足納具取付部材３は、図６で示した固定部材２の足納具受け部材１０とバランス保持前後部材１３の間で、ペダル収納部材１１の前板部２０と後板部２１の外側に横向けにして固着する（この「横向け」とは、コ字型の開放部分を前板部２０、後板部２１に向けた状態で固着することを意味する）
【００３１】
図９は固定部材２（固定部材２の額縁状部材１４）と固定板５との組み付けを示すもので、固定板５は略長方形状をしており、一方の辺にクランク８とペダル７をつなぐ軸を通すための半円状の穴２８と、貫通孔２９を設ける。
この固定板５は同形状のもの２枚を要し、それぞれ貫通孔２９を額縁状部材１４の螺子孔２３に合わせて螺子３０を使用し額縁状部材１４に螺子止め固定する。半円状の穴２８は相向かい合ってほぼ円形となり、クランク８とペダル７を連結する軸を遊合する。
そのため、ペダル７をペダル収納部材１１の収納部１７に挿入し（収納部１７のペダル７の周囲に隙間があるときには、その隙間に補填部材４を充填してペダル７を緊密に固定する）、固定板５を額縁状部材１４に螺子止めすることで、ペダル７は固定部材２のペダル収納部材１１に固定される。
【００３２】
したがって、固定板５は螺子３０によって固定部材２の額縁状部材１４に取り付けたり、また取り外したりすることができるものであるため、螺子６を使用して固着した足納具１と固定部材２の結合物は、容易に自転車のペダル７に取り付けたり、取り外すことができる。
【００３３】
以上の実施形態は次のようにして使用される。
まず足納具１の底板及びその底板に配した敷板部材９に固定用の螺子６を貫通させるための貫通孔を設けるとともに、足納具受け部材１０、足納具取付部材３、バランス保持前後部材１３のそれぞれ組み付け時において前記螺子６が螺合する位置に貫通孔１５および螺子孔１６を明けておく。またペダル収納部材１１の下面にバランス保持中央部材１２を固着し、ペダル挿入側の反対側には盲板１９固着して塞いでおく（折り曲げで盲板１９の代用も可能である）。また、固定板５、額縁状部材１４のそれぞれ所定箇所に両者を螺子３０で固定するための貫通孔２９、螺子孔２３を設けておく。
ペダル収納部材１１の前後にはバランス保持前後部材１３を、また開口１８の周側に額縁状部材１４を固着する（バランス保持前後部材１３の固着位置は、その後の足納具取付部材３の挿入用のスペースを考慮して決める）。
【００３４】
次に、バランス保持中央部材１２、バランス保持前後部材１３、額縁状部材１４を固着したペダル収納部材１１を、足納具受け部材１０の下面に当て、この足納具受け部材１０とバランス保持前後部材１３の間に、足納具取付部材３を差し込む。
その後螺子６を、足納具１中の敷板部材９の貫通孔に押し込み、足納具１の底部に明けた貫通孔と、足納具受け部材１０、足納具取付部材３の各貫通孔１５を通し、バランス保持前後部材１３の螺子孔１６に螺子止めする。このようにして、足納具１と固定部材２（足納具受け部材１０、ペダル収納部材１１、バランス保持中央部材１２、バランス保持前後部材１３、額縁状部材１４から構成する）とは緊密に固着される。
【００３５】
このようにして作成された足納具１と固定部材２の結合物を自転車のペダル７に取り付けるときには、ペダル収納部材１１の収納部１７にペダル７を押し込み、補填部材４を収納部１７のペダル７の周囲に充填したのち、固定板５を固定部材２の額縁状部材１４に螺子３０により固定することで行う。
【００３６】
また、自転車のペダル７に取り付けた、足納具１と固定部材２の結合物を取り外すときは、螺子３０を外して額縁状部材１４から固定板５を外すことで簡単に取り外せる。
【００３７】
したがって、本考案によるリハビリ用自転車補助具を、自転車（固定装置を付けた２輪自転車や３輪自転車、４輪自転車など）や、ペダルで足の運動ができる装置（例えば、エアロバイクなど）に取り付けること、および他の自転車などに取り付け変える場合などのように、必要に応じてこれを取り外し、取り付け代えることなどが容易に行えるものである。
また、前記実施形態では自転車の右側のペダルに取り付けた例で説明したが、足納具１の前後の向きを変えることで、左側のペダルに使用することができる。
【００３８】
図１０は足納具取付部材の他の実施例（符号３１で表す）を示すもので、全体として四角柱形状で一定の硬度を有するが軽量の素材から作成したもので、螺子６を挿通させる貫通孔１５を設ける。
この足納具取付部材３１は、貫通孔１５を垂直にした状態で、下面をバランス保持前後部材１３に接しペダル収納部材１１の前板部２０、後板部２１の外側に設ける。このとき足納具受け部材１０、足納具取付部材３１の各貫通孔１５とバランス保持前後部材１３の螺子孔１６とは連通した状態にあり、螺子６を使用して足納具１の敷板、底板の貫通孔を介して足納具１と固定部材２を螺子止め固着するものである。
【００３９】
図１１、図１２は前記実施形態とは異なった構成（ペダル収納部材を変更）の固定部材に関するもので、図１１は全体の斜視図、図１２はこの各構成部材を示す斜視図である。
この固定部材（符号４０で表す）では、足納具取付部材３、３１とバランス保持前後部材１３を採用せず、ペダル収納部材１１とは別の構成のペダル収納部材（符号３２で表す）を使用したものである。
ペダル収納部材３２の前板部３８および後板部３９の上辺をそれぞれ直角に折り曲げ水平に延伸させて支持部３３を形成し、その支持部３３の下側に補強板３４を付加して固着するものである。支持部３３には貫通孔４１、補強板３４には螺子孔４２を設け、足納具１と固定部材４０とを螺子（図示せず）により螺子止めで固着するときに使用する。
【００４０】
この構成の固定部材４０によれば、補強板３４で強度補強をした支持部３３を足納具受け部材１０の下面に当接させることで両者の接触面積を大きくし、同時に押下圧力への耐久性を倍加させたことに特徴を持たせたものである。これにより点溶接での作業が行えるようになって作業性が向上し、また固着強度、耐久強度も増強して足納具１からの押下圧力に対して十分な耐久力を持たせることができる。そのため、足の小さい人用の足納具１（必然的に足納具受け部材１０も小さいものになる）に取り付ける固定部材に使用するペダル収納部材としては、この実施形態のペダル収納部材３２が適している。
また、この固定部材４０で使用するペダル収納部材３２では、足納具受け部材１０に支持部３３と補強板３４とで固着するものであるため、強度は十分であることから足納具取付部材３、３１は設ける必要はない。
また、前後に延伸した支持部３３とこれを補強する補強板３４という所定重量の物を設けることから、重心は下方に引き寄せられ、足納具１を水平に保つ機能が作成されるため、バランス保持前後部材１３が不要になる。
【００４１】
この固定部材４０については、足納具受け部材１０のほか、ペダル収納部材３２では、収納部３５や開口３６、盲板３７などが前記ペダル収納部材１１と変わることなく設けられ、バランス保持中央部材１２、額縁状部材１４も前記固定部材２と変わりなく設けられている。また、図示していないが足納具１と固定部材４０は螺子で固着している。
【００４２】
図１３は本考案で採用できる足納具１の具体例のいくつかを示したものである（五つの例を示す）。足納具１は、リハビリ活動をする高齢者、足機能の弱った人が使用するものであるため、足の直接触れる素材は柔軟で皮膚に害を及ぼさない材料を使ったものが選ばれる。
（A）はセンターゴム型と称したもので、表素材、内素材ともにポリエステルなどの合成繊維材を使用し、ゴム混成のような弾性素材の当て材４３で足の甲を覆うことを特徴とする。施設の室内用として素足で使われる。（B）はマジックバンド型と称するもので、表素材は綿、内素材はポリエステルのような合成繊維材を使用し、足の甲に当たる部分に柔らかな素材から作成した布製のバンド４４が当たるようにして布製ファスナーを使用してとめる構成である。用途は施設の内、外両用で、素足で使用される。（C）はスリッパシューズ型と称されるもので、通常のスリッパの形状をしていて、表素材、内素材ともにポリエステルのような合成樹脂材を使用している。施設で内、外両用で素足で使用する。（D）は靴型と称し、表素材、内素材ともに発泡EVA樹脂で作成し（成型機使用）、主に外出用に使用し、布製の靴着用でも使用可能である。（E）は全面開放型と称するもので、表素材、内素材ともにポリエステルのような合成樹脂材を使用し、足の甲の部分に布製のファスナを付けた二つの布製バンド４５で覆う構成であり、普段は主に外出用で使われ素足で使用可能である。
【符号の説明】
【００４３】
１          足納具
２          固定部材
３          足納具取付部材
４          補填部材
５          固定板
１０        足納具受け部材
１１、３２  ペダル収納部材
１２        バランス保持中央部材
１３        バランス保持前後部材
１４        額縁状部材
１７        収納部
３３        支持部
３４        補強板
【図１】
0003160377.tif 000003
【図２】
0003160377.tif 000004
【図３】
0003160377.tif 000005
【図４】
0003160377.tif 000006
【図５】
0003160377.tif 000007
【図６】
0003160377.tif 000008
【図７】
0003160377.tif 000009
【図８】
0003160377.tif 000010
【図９】
0003160377.tif 000011
【図１０】
0003160377.tif 000012
【図１１】
0003160377.tif 000013
【図１２】
0003160377.tif 000014
【図１３】
0003160377.tif 000015